(57)【要約】  被処理水を分離膜に透過させて処理水を得るろ過工程と、分離膜を複数の工程で物理的に洗浄する物理洗浄工程と、を繰り返す造水システムのトラブルを判定するためにコンピュータを、ろ過工程と物理洗浄工程の運転データを入力する運転データ入力手段、運転データを記録しておく運転データ記録手段、トラブルを判定しようとするろ過工程または物理洗浄工程を選択する工程選択手段、予め運転データの加工ルールを記録しておく加工ルール記録手段、工程選択手段により選択された工程の加工ルールに基づき運転データ記録手段に記録された運転データを加工して加工データを得る手段、予め加工データに関する設定値を記録しておく設定値記録手段、加工データと設定値を比較して加工データが設定値を逸脱した場合にトラブルと判定するトラブル判定手段、トラブルの判定を出力するトラブル判定出力手段、として機能させることを特徴とする造水システムのトラブル判定プログラムを記録したコンピュータ読み取り可能な記録媒体。
2017221984.tif 000002
【特許請求の範囲】
【請求項１】
被処理水を分離膜に透過させて処理水を得るろ過工程と、前記分離膜を複数の工程で物理的に洗浄する物理洗浄工程と、を繰り返す造水システムのトラブルを判定するためにコンピュータを、
前記ろ過工程と前記物理洗浄工程の運転データを入力する運転データ入力手段、
前記運転データを記録しておく運転データ記録手段、
トラブルを判定しようとする前記ろ過工程または前記物理洗浄工程を選択する工程選択手段、
予め前記運転データの加工ルールを記録しておく加工ルール記録手段、
前記工程選択手段により選択された工程の前記加工ルールに基づき前記運転データ記録手段に記録された前記運転データを加工して加工データを得る手段、
予め前記加工データに関する設定値を記録しておく設定値記録手段、前記加工データと前記設定値を比較して前記加工データが前記設定値を逸脱した場合にトラブルと判定するトラブル判定手段、
前記トラブルの判定を出力するトラブル判定出力手段、
として機能させることを特徴とする造水システムのトラブル判定プログラムを記録したコンピュータ読み取り可能な記録媒体。
【請求項２】
前記トラブル判定出力手段が、トラブルの原因、対策の少なくとも一つを表示するものであることを特徴とする請求項１に記載の造水システムのトラブル判定プログラムを記録したコンピュータ読み取り可能な記録媒体。
【請求項３】
前記コンピュータを、前記ろ過工程と前記物理洗浄工程それぞれのデータ記録周期を異なる周期に設定する記録周期設定手段としてさらに機能させ、前記記録周期設定手段が前記ろ過工程よりも前記物理洗浄工程のデータ記録周期を短く設定することを特徴とする請求項１または２に記載の造水システムのトラブル判定プログラムを記録したコンピュータ読み取り可能な記録媒体。
【請求項４】
前記物理洗浄工程が逆洗工程を有し、前記工程選択手段が前記逆洗工程を選択するものであり、前記加工ルールが前記逆洗に用いられる逆洗水量または逆洗流量のデータを用いるものであることを特徴とする請求項１〜３のいずれか１項に記載の造水システムのトラブル判定プログラムを記録したコンピュータ読み取り可能な記録媒体。
【請求項５】
前記物理洗浄工程が少なくとも空洗工程、排水工程、給水工程のいずれかを有し、前記工程選択手段が前記空洗工程、前記排水工程、前記給水工程を選択するものであり、前記加工ルールが、前記分離膜の原水側の圧力データを用いるものであることを特徴とする請求項１〜３のいずれか１項に記載の造水システムのトラブル判定プログラムを記録したコンピュータ読み取り可能な記録媒体。
【請求項６】
前記物理洗浄工程が、空洗工程、給水工程を有し、前記工程選択手段が、前記空洗工程、前記給水工程を選択するものであり、前記加工ルールが各々の工程で流入する空気、原水の流量データを用いるものであることを特徴とする請求項１〜３のいずれか１項に記載の造水システムのトラブル判定プログラムを記録したコンピュータ読み取り可能な記録媒体。
【請求項７】
前記物理洗浄工程が、薬品を注入して行う逆洗工程を有し、前記工程選択手段が前記逆洗工程を選択するものであり、前記加工ルールが、逆洗配管に設置される、少なくともｐＨ計、残留塩素計、ＯＲＰ計のいずれかのデータを用いるものであることを特徴とする請求項１〜３のいずれか１項に記載の造水システムのトラブル判定プログラムを記録したコンピュータ読み取り可能な記録媒体。
【請求項８】
前記加工ルールが、前記ろ過工程１サイクルのろ過抵抗上昇度と、前記物理洗浄工程後の物理洗浄不可逆ろ過上昇度を用いるものであることを特徴とする請求項１〜３のいずれか１項に記載の造水システムのトラブル判定プログラムを記録したコンピュータ読み取り可能な記録媒体。
【請求項９】
前記加工データが前記設定値を複数回連続して逸脱した場合に、前記トラブル判定手段がトラブルと判定することを特徴とする請求項１〜８のいずれか１項に記載の造水システムのトラブル判定プログラムを記録したコンピュータ読み取り可能な記録媒体。
【請求項１０】
被処理水を分離膜に透過させて処理水を得るろ過工程と、前記分離膜を複数の工程で物理的に洗浄する物理洗浄工程と、を繰り返す造水システムのトラブルを判定する造水システムのトラブル判定装置であって、
前記ろ過工程と前記物理洗浄工程の運転データを入力する運転データ入力手段と、
前記運転データを記録しておく運転データ記録手段と、
トラブルを判定しようとする前記ろ過工程または前記物理洗浄の工程を選択する工程選択手段と、
予め前記運転データの加工ルールを記録しておく加工ルール記録手段と、
前記工程選択手段により選択された工程の前記加工ルールに基づき前記運転データ記録手段に記録された前記運転データを加工して加工データを得る手段と、
予め前記加工データに関する設定値を記録しておく設定値記録手段と、
前記加工データと前記設定値を比較して前記加工データが前記設定値を逸脱した場合にトラブルと判定するトラブル判定手段と、
前記トラブルの判定を出力するトラブル判定出力手段と、
を備えることを特徴とする造水システムのトラブル判定装置。
【請求項１１】
前記トラブル判定出力手段が、トラブルの原因、対策の少なくとも一つを表示するものであることを特徴とする請求項１０に記載の造水システムのトラブル判定装置。
【請求項１２】
前記ろ過工程と前記物理洗浄工程それぞれのデータ記録周期を異なる周期に設定する記録周期設定手段をさらに備え、前記記録周期設定手段が前記ろ過工程よりも前記物理洗浄工程のデータ記録周期を短く設定することを特徴とする請求項１０または１１に記載の造水システムのトラブル判定装置。
【請求項１３】
前記物理洗浄工程が逆洗工程を有し、前記工程選択手段が前記逆洗工程を選択するものであり、前記加工ルールが前記逆洗に用いられる逆洗水量または逆洗流量のデータを用いるものであることを特徴とする請求項１０〜１２のいずれか１項に記載の造水システムのトラブル判定装置。
【請求項１４】
前記物理洗浄工程が少なくとも空洗工程、排水工程、給水工程のいずれかを有し、前記工程選択手段が前記空洗工程、前記排水工程、前記給水工程を選択するものであり、前記加工ルールが、前記分離膜の原水側の圧力データを用いるものであることを特徴とする請求項１０〜１２のいずれか１項に記載の造水システムのトラブル判定装置。
【請求項１５】
前記物理洗浄工程が、空洗工程、給水工程を有し、前記工程選択手段が、前記空洗工程、前記給水工程を選択するものであり、前記加工ルールが各々の工程で流入する空気、原水の流量データを用いるものであることを特徴とする請求項１０〜１２のいずれか１項に記載の造水システムのトラブル判定装置。
【請求項１６】
前記物理洗浄工程が、薬品を注入して行う逆洗工程を有し、前記工程選択手段が前記逆洗工程を選択するものであり、前記加工ルールが、逆洗配管に設置される、少なくともｐＨ計、残留塩素計、ＯＲＰ計のいずれかのデータを用いるものであることを特徴とする請求項１０〜１２のいずれか１項に記載の造水システムのトラブル判定装置。
【請求項１７】
前記加工ルールが、前記ろ過工程１サイクルのろ過抵抗上昇度と、前記物理洗浄工程後の物理洗浄不可逆ろ過上昇度を用いるものであることを特徴とする請求項１０〜１２のいずれか１項に記載の造水システムのトラブル判定装置。
【請求項１８】
前記加工データが前記設定値を複数回連続して逸脱した場合に、前記トラブル判定手段がトラブルと判定することを特徴とする請求項１０〜１７のいずれか１項に記載の造水システムのトラブル判定装置。
【請求項１９】
被処理水を分離膜に透過させて処理水を得るろ過工程と、前記分離膜を複数の工程で物理的に洗浄する物理洗浄工程と、を繰り返す造水システムのトラブルを判定するためにコンピュータを、
前記ろ過工程と前記物理洗浄工程の運転データを入力する運転データ入力手段、
前記運転データを記録しておく運転データ記録手段、
トラブルを判定しようとする前記ろ過工程または前記物理洗浄工程を選択する工程選択手段、
予め前記運転データの加工ルールを記録しておく加工ルール記録手段、
前記工程選択手段により選択された工程の前記加工ルールに基づき前記運転データ記録手段に記録された前記運転データを加工して加工データを得る手段、
予め前記加工データに関する設定値を記録しておく設定値記録手段、
前記加工データと前記設定値を比較して前記加工データが前記設定値を逸脱した場合にトラブルと判定するトラブル判定手段、
前記トラブルの判定を出力するトラブル判定出力手段、
として機能させることを特徴とする造水システムのトラブル判定プログラム。
【請求項２０】
前記トラブル判定出力手段が、トラブルの原因、対策の少なくとも一つを表示するものであることを特徴とする請求項１９に記載の造水システムのトラブル判定プログラム。
【請求項２１】
前記コンピュータを、前記ろ過工程と前記物理洗浄工程それぞれのデータ記録周期を異なる周期に設定する記録周期設定手段としてさらに機能させ、前記記録周期設定手段が前記ろ過工程よりも前記物理洗浄工程のデータ記録周期を短く設定することを特徴とする請求項１９または２０に記載の造水システムのトラブル判定プログラム。
【請求項２２】
前記物理洗浄工程が逆洗工程を有し、前記工程選択手段が前記逆洗工程を選択するものであり、前記加工ルールが前記逆洗に用いられる逆洗水量または逆洗流量のデータを用いるものであることを特徴とする請求項１９〜２１のいずれか１項に記載の造水システムのトラブル判定プログラム。
【請求項２３】
前記物理洗浄工程が少なくとも空洗工程、排水工程、給水工程のいずれかを有し、前記工程選択手段が前記空洗工程、前記排水工程、前記給水工程を選択するものであり、前記加工ルールが、前記分離膜の原水側の圧力データを用いるものであることを特徴とする請求項１９〜２１のいずれか１項に記載の造水システムのトラブル判定プログラム。
【請求項２４】
前記物理洗浄工程が、空洗工程、給水工程を有し、前記工程選択手段が、前記空洗工程、前記給水工程を選択するものであり、前記加工ルールが各々の工程で流入する空気、原水の流量データを用いるものであることを特徴とする請求項１９〜２１のいずれか１項に記載の造水システムのトラブル判定プログラム。
【請求項２５】
前記物理洗浄工程が、薬品を注入して行う逆洗工程を有し、前記工程選択手段が前記逆洗工程を選択するものであり、前記加工ルールが、逆洗配管に設置される、少なくともｐＨ計、残留塩素計、ＯＲＰ計のいずれかのデータを用いるものであることを特徴とする請求項１９〜２１のいずれか１項に記載の造水システムのトラブル判定プログラム。
【請求項２６】
前記加工ルールが、前記ろ過工程１サイクルのろ過抵抗上昇度と、前記物理洗浄工程後の物理洗浄不可逆ろ過上昇度を用いるものであることを特徴とする請求項１９〜２１のいずれか１項に記載の造水システムのトラブル判定プログラム。
【請求項２７】
前記加工データが前記設定値を複数回連続して逸脱した場合に、前記トラブル判定手段がトラブルと判定することを特徴とする請求項１９〜２５のいずれか１項に記載の造水システムのトラブル判定プログラム。
【請求項２８】
前記造水システムの管理を行うために、請求項１〜９のいずれか１項に記載の造水システムのトラブル判定プログラムを記録したコンピュータ読み取り可能な記録媒体によって機能するコンピュータを、
前記運転データ記録手段の運転データに基づいて前記分離膜を薬品洗浄または交換する時期を予測する時期予測手段、
前記運転データ記録手段が少なくともろ過圧力、差圧、ろ過速度から選ばれる１つの運転データを記録するものであると共に、前記時期予測手段が前記運転データ記録手段で記録したデータからろ過圧力変化、ろ過差圧変化、ろ過抵抗変化、ろ過速度変化のうち少なくとも１つのろ過指標を解析する解析手段、
前記解析手段で得られたろ過指標から、ろ過圧力、ろ過抵抗、ろ過速度のうち少なくとも１つのろ過特性変化を予測するろ過特性変化予測手段、
としてさらに機能させることを特徴とする造水システムの管理プログラムを記録したコンピュータ読み取り可能な記録媒体。
【請求項２９】
前記時期予測手段が基本となる予測曲線をグラフ表示するとともに、運転データの変化に応じて、周期的に新規予測する機能および／または異常が発生した場合に新規予測する機能を有することを特徴とする請求項２８に記載の造水システムの管理プログラムを記録したコンピュータ読み取り可能な記録媒体。
【請求項３０】
前記時期予測手段で計算された前記分離膜の薬品洗浄日または交換日までの日数が指定日数以下となった場合に通知アラームを出力する通知手段を有する請求項２８または２９に記載の造水システムの管理プログラムを記録したコンピュータ読み取り可能な記録媒体。
【請求項３１】
前記分離膜の薬品洗浄日または交換日が、予め設定した予定日よりも早い場合、警報アラームを出力する警報手段を有する請求項２８〜３０のいずれか１項に記載の造水システムの管理プログラムを記録したコンピュータ読み取り可能な記録媒体。
【請求項３２】
前記分離膜の薬品洗浄日または交換日が、予め設定した予定日よりも早い場合、前記薬品洗浄日または交換日が、前記予定日と一致または前記予定日よりも遅くなるように、ろ過条件および／または洗浄条件を変更する運転条件変更手段を有する請求項２８〜３１のいずれか１項に記載の造水システムの管理プログラムを記録したコンピュータ読み取り可能な記録媒体。
【請求項３３】
前記運転条件変更手段は、運転コスト予測機能と、運転コストが最も低くなるようにろ過条件および／または洗浄条件を決定する機能をさらに有する請求項３２に記載の造水システムの管理プログラムを記録したコンピュータ読み取り可能な記録媒体。
【請求項３４】
前記造水システムが、被処理水に凝集剤、還元剤、殺菌剤、スケールコントロール剤のうち少なくとも１つの薬剤を添加する薬剤添加手段を備えるものであり、前記運転条件変更手段が前記薬剤の添加率を変更する機能をさらに有することを特徴とする請求項３２または３３に記載の造水システムの管理プログラムを記録したコンピュータ読み取り可能な記録媒体。
【発明の詳細な説明】
【技術分野】
【０００１】
本発明は、分離膜を用いて河川水・湖水・海水などの自然水や下廃水・工業排水を処理して処理水を得る造水システムのトラブル判定プログラム及びトラブル判定装置、並びに記録媒体に関するものである。
【背景技術】
【０００２】
膜分離法は、省エネルギー・スペース、およびろ過水質向上等の特長を有するため、様々な分野での使用が拡大している。例えば、精密ろ過膜や限外ろ過膜を河川水や地下水や下水処理水から工業用水や水道水を製造する浄水プロセスへの適用や、海水淡水化逆浸透膜処理工程における前処理や、食品工業分野での製造プロセスへの適用があげられる。【０００３】
被処理水を膜ろ過すると、処理水量に伴って、膜表面や膜細孔内及び分離膜モジュール内に汚染物質の蓄積量が増大していき、処理水量・水質の低下あるいは差圧の上昇が問題となってくる。【０００４】
そこで、膜の一次側に気泡を導入し、膜を揺動させ、膜同士を触れ合わせることにより膜表面の付着物質を掻き落とす空気洗浄や、膜のろ過方法とは逆方向に処理水あるいは清澄水を圧力で押し込み、膜表面や膜細孔内に付着していた汚染物質を排除する逆圧洗浄、空気洗浄と逆圧洗浄を同時に行う空逆同時洗浄等の物理洗浄が実用化されている。【０００５】
さらに安定的かつ長期間の膜ろ過連続運転を行うため、特許文献１、２には、ろ過時の膜差圧の測定値に応じて、逆圧洗浄の洗浄時間の調整、または逆圧洗浄や空気洗浄などの物理洗浄頻度を制御する方法が提案されている。
【先行技術文献】
【特許文献】
【０００６】
【特許文献１】日本国特開平１１−１６９８５１号公報
【特許文献２】日本国特開平１１−３１９５１６号公報
【発明の概要】
【発明が解決しようとする課題】
【０００７】
しかし、特許文献１〜２に記載された膜ろ過差圧に応じた洗浄時間・頻度など物理洗浄制御を実施しても物理洗浄自体が正常に実施されなければ、差圧上昇を抑制できず膜ろ過の運転を十分に安定化できないといった問題があった。さらに、ろ過時間に対して通常短い時間で実施される物理洗浄のトラブルを判定するにはデータの収集周期を短い間隔に設定する必要があり、その場合、運転データ保存量が増大することでサーバー容量が圧迫されるといった問題があった。【０００８】
本発明は、ろ過工程および物理洗浄工程時の運転データを効率的に収集・分析し、効率的に各工程でのトラブルを判定しかつ運転予測し早急に対応することで、造水システムを安定運転可能とすることにある。
【課題を解決するための手段】
【０００９】
上記課題を解決するため、本発明は、次の特徴を有するものである。【００１０】
（１）被処理水を分離膜に透過させて処理水を得るろ過工程と、前記分離膜を複数の工程で物理的に洗浄する物理洗浄工程と、を繰り返す造水システムのトラブルを判定するためにコンピュータを、前記ろ過工程と前記物理洗浄工程の運転データを入力する運転データ入力手段、前記運転データを記録しておく運転データ記録手段、トラブルを判定しようとする前記ろ過工程または前記物理洗浄工程を選択する工程選択手段、予め前記運転データの加工ルールを記録しておく加工ルール記録手段、前記工程選択手段により選択された工程の前記加工ルールに基づき前記運転データ記録手段に記録された前記運転データを加工して加工データを得る手段、予め前記加工データに関する設定値を記録しておく設定値記録手段、前記加工データと前記設定値を比較して前記加工データが前記設定値を逸脱した場合にトラブルと判定するトラブル判定手段、前記トラブルの判定を出力するトラブル判定出力手段、として機能させることを特徴とする造水システムのトラブル判定プログラムを記録したコンピュータ読み取り可能な記録媒体。【００１１】
（２）前記トラブル判定出力手段が、トラブルの原因、対策の少なくとも一つを表示するものであることを特徴とする（１）に記載の造水システムのトラブル判定プログラムを記録したコンピュータ読み取り可能な記録媒体。【００１２】
（３）前記コンピュータを、前記ろ過工程と前記物理洗浄工程それぞれのデータ記録周期を異なる周期に設定する記録周期設定手段としてさらに機能させ、前記記録周期設定手段が前記ろ過工程よりも前記物理洗浄工程のデータ記録周期を短く設定することを特徴とする（１）または（２）に記載の造水システムのトラブル判定プログラムを記録したコンピュータ読み取り可能な記録媒体。【００１３】
（４）前記物理洗浄工程が逆洗工程を有し、前記工程選択手段が前記逆洗工程を選択するものであり、前記加工ルールが前記逆洗に用いられる逆洗水量または逆洗流量のデータを用いるものであることを特徴とする（１）〜（３）のいずれかに記載の造水システムのトラブル判定プログラムを記録したコンピュータ読み取り可能な記録媒体。【００１４】
（５）前記物理洗浄工程が少なくとも空洗工程、排水工程、給水工程のいずれかを有し、前記工程選択手段が前記空洗工程、前記排水工程、前記給水工程を選択するものであり、前記加工ルールが、前記分離膜の原水側の圧力データを用いるものであることを特徴とする（１）〜（３）のいずれかに記載の造水システムのトラブル判定プログラムを記録したコンピュータ読み取り可能な記録媒体。【００１５】
（６）前記物理洗浄工程が、空洗工程、給水工程を有し、前記工程選択手段が、前記空洗工程、前記給水工程を選択するものであり、前記加工ルールが各々の工程で流入する空気、原水の流量データを用いるものであることを特徴とする（１）〜（３）のいずれかに記載の造水システムのトラブル判定プログラムを記録したコンピュータ読み取り可能な記録媒体。【００１６】
（７）前記物理洗浄工程が、薬品を注入して行う逆洗工程を有し、前記工程選択手段が前記逆洗工程を選択するものであり、前記加工ルールが、逆洗配管に設置される、少なくともｐＨ計、残留塩素計、ＯＲＰ計のいずれかのデータを用いるものであることを特徴とする（１）〜（３）のいずれかに記載の造水システムのトラブル判定プログラムを記録したコンピュータ読み取り可能な記録媒体。【００１７】
（８）前記加工ルールが、前記ろ過工程１サイクルのろ過抵抗上昇度と、前記物理洗浄後の物理洗浄不可逆ろ過上昇度を用いるものであることを特徴とする（１）〜（３）のいずれかに記載の造水システムのトラブル判定プログラムを記録したコンピュータ読み取り可能な記録媒体。【００１８】
（９）前記加工データが前記設定値を複数回連続して逸脱した場合に、前記トラブル判定手段がトラブルと判定することを特徴とする（１）〜（８）のいずれかに記載の造水システムのトラブル判定プログラムを記録したコンピュータ読み取り可能な記録媒体。【００１９】
（１０）被処理水を分離膜に透過させて処理水を得るろ過工程と、前記分離膜を複数の工程で物理的に洗浄する物理洗浄工程と、を繰り返す造水システムのトラブルを判定する造水システムのトラブル判定装置であって、前記ろ過工程と前記物理洗浄工程の運転データを入力する運転データ入力手段と、前記運転データを記録しておく運転データ記録手段と、トラブルを判定しようとする前記ろ過工程または前記物理洗浄の工程を選択する工程選択手段と、予め前記運転データの加工ルールを記録しておく加工ルール記録手段と、前記工程選択手段により選択された工程の前記加工ルールに基づき前記運転データ記録手段に記録された前記運転データを加工して加工データを得る手段と、予め前記加工データに関する設定値を記録しておく設定値記録手段と、前記加工データと前記設定値を比較して前記加工データが前記設定値を逸脱した場合にトラブルと判定するトラブル判定手段と、前記トラブル判定を出力するトラブル判定出力手段と、を備えることを特徴とする造水システムのトラブル判定装置。【００２０】
（１１）前記トラブル判定出力手段が、トラブルの原因、対策の少なくとも一つを表示するものであることを特徴とする（１０）に記載の造水システムのトラブル判定装置。【００２１】
（１２）前記コンピュータを、前記ろ過工程と前記物理洗浄工程それぞれのデータ記録周期を異なる周期に設定する記録周期設定手段としてさらに機能させ、前記記録周期設定手段が前記ろ過工程よりも前記物理洗浄工程のデータ記録周期を短く設定することを特徴とする（１０）または（１１）に記載の造水システムのトラブル判定装置。【００２２】
（１３）前記物理洗浄工程が逆洗工程を有し、前記工程選択手段が前記逆洗工程を選択するものであり、前記加工ルールが前記逆洗に用いられる逆洗水量または逆洗流量のデータを用いるものであることを特徴とする（１０）〜（１２）のいずれかに記載の造水システムのトラブル判定装置。【００２３】
（１４）前記物理洗浄工程が少なくとも空洗工程、排水工程、給水工程のいずれかを有し、前記工程選択手段が前記空洗工程、前記排水工程、前記給水工程を選択するものであり、前記加工ルールが、前記分離膜の原水側の圧力データを用いるものであることを特徴とする（１０）〜（１２）のいずれかに記載の造水システムのトラブル判定装置。【００２４】
（１５）前記物理洗浄工程が、空洗工程、給水工程を有し、前記工程選択手段が、前記空洗工程、前記給水工程を選択するものであり、前記加工ルールが各々の工程で流入する空気、原水の流量データを用いるものであることを特徴とする（１０）〜（１２）のいずれかに記載の造水システムのトラブル判定装置。【００２５】
（１６）前記物理洗浄工程が、薬品を注入して行う逆洗工程を有し、前記工程選択手段が前記逆洗工程を選択するものであり、前記加工ルールが、逆洗配管に設置される、少なくともｐＨ計、残留塩素計、ＯＲＰ計のいずれかのデータを用いるものであることを特徴とする（１０）〜（１２）のいずれかに記載の造水システムのトラブル判定装置。【００２６】
（１７）前記加工ルールが、前記ろ過工程１サイクルのろ過抵抗上昇度と、前記物理洗浄工程後の物理洗浄不可逆ろ過上昇度を用いるものであることを特徴とする（１０）〜（１２）のいずれかに記載の造水システムのトラブル判定装置。【００２７】
（１８）前記加工データが前記設定値を複数回連続して逸脱した場合に、前記トラブル判定手段がトラブルと判定することを特徴とする（１０）〜（１７）のいずれかに記載の造水システムのトラブル判定装置。【００２８】
（１９）被処理水を分離膜に透過させて処理水を得るろ過工程と、前記分離膜を複数の工程で物理的に洗浄する物理洗浄工程と、を繰り返す造水システムのトラブルを判定するためにコンピュータを、前記ろ過工程と前記物理洗浄工程の運転データを入力する運転データ入力手段、前記運転データを記録しておく運転データ記録手段、トラブルを判定しようとする前記ろ過工程または前記物理洗浄工程を選択する工程選択手段、予め前記運転データの加工ルールを記録しておく加工ルール記録手段、前記工程選択手段により選択された工程の前記加工ルールに基づき前記運転データ記録手段に記録された前記運転データを加工して加工データを得る手段、予め前記加工データに関する設定値を記録しておく設定値記録手段、前記加工データと前記設定値を比較して前記加工データが前記設定値を逸脱した場合にトラブルと判定するトラブル判定手段、前記トラブルの判定を出力するトラブル判定出力手段、として機能させることを特徴とする造水システムのトラブル判定プログラム。【００２９】
（２０）前記トラブル判定出力手段が、トラブルの原因、対策の少なくとも一つを表示するものであることを特徴とする（１９）に記載の造水システムのトラブル判定プログラム。【００３０】
（２１）前記コンピュータを、前記ろ過工程と前記物理洗浄工程それぞれのデータ記録周期を異なる周期に設定する記録周期設定手段としてさらに機能させ、前記記録周期設定手段が前記ろ過工程よりも前記物理洗浄工程のデータ記録周期を短く設定することを特徴とする（１０）または（１１）に記載の造水システムのトラブル判定プログラム。【００３１】
（２２）前記物理洗浄工程が逆洗工程を有し、前記工程選択手段が前記逆洗工程を選択するものであり、前記加工ルールが前記逆洗に用いられる逆洗水量または逆洗流量のデータを用いるものであることを特徴とする（１９）〜（２１）のいずれかに記載の造水システムのトラブル判定プログラム。【００３２】
（２３）前記物理洗浄工程が少なくとも空洗工程、排水工程、給水工程のいずれかを有し、前記工程選択手段が前記空洗工程、前記排水工程、前記給水工程を選択するものであり、前記加工ルールが、前記分離膜の原水側の圧力データを用いるものであることを特徴とする（１９）〜（２１）のいずれかに記載の造水システムのトラブル判定プログラム。【００３３】
（２４）前記物理洗浄工程が、空洗工程、給水工程を有し、前記工程選択手段が、前記空洗工程、前記給水工程を選択するものであり、前記加工ルールが各々の工程で流入する空気、原水の流量データを用いるものであることを特徴とする（１９）〜（２１）のいずれかに記載の造水システムのトラブル判定プログラム。【００３４】
（２５）前記物理洗浄工程が、薬品を注入して行う逆洗工程を有し、前記工程選択手段が前記逆洗工程を選択するものであり、前記加工ルールが、逆洗配管に設置される、少なくともｐＨ計、残留塩素計、ＯＲＰ計のいずれかのデータを用いるものであることを特徴とする（１９）〜（２１）のいずれかに記載の造水システムのトラブル判定プログラム。【００３５】
（２６）前記加工ルールが、前記ろ過工程１サイクルのろ過抵抗上昇度と、前記物理洗浄後の物理洗浄不可逆ろ過上昇度を用いるものであることを特徴とする（１９）〜（２１）のいずれかに記載の造水システムのトラブル判定プログラム。【００３６】
（２７）前記加工データが前記設定値を複数回連続して逸脱した場合に、前記トラブル判定手段がトラブルと判定することを特徴とする（１９）〜（２５）のいずれかに記載の造水システムのトラブル判定プログラム。【００３７】
（２８）前記造水システムの管理を行うために、（１）〜（９）のいずれかに記載の造水システムのトラブル判定プログラムを記録したコンピュータ読み取り可能な記録媒体によって機能するコンピュータを、前記運転データ記録手段の運転データに基づいて前記分離膜を薬品洗浄または交換する時期を予測する時期予測手段、前記運転データ記録手段が少なくともろ過圧力、差圧、ろ過速度から選ばれる１つの運転データを記録するものであると共に、前記時期予測手段が前記運転データ記録手段で記録したデータからろ過圧力変化、ろ過差圧変化、ろ過抵抗変化、ろ過速度変化のうち少なくとも１つのろ過指標を解析する解析手段、前記解析手段で得られたろ過指標から、ろ過圧力、ろ過抵抗、ろ過速度のうち少なくとも１つのろ過特性変化を予測するろ過特性変化予測手段、としてさらに機能させることを特徴とする造水システムの管理プログラムを記録したコンピュータ読み取り可能な記録媒体。【００３８】
（２９）前記時期予測手段が基本となる予測曲線をグラフ表示するとともに、運転データの変化に応じて、周期的に新規予測する機能および／または異常が発生した場合に新規予測する機能を有することを特徴とする（２８）に記載の造水システムの管理プログラムを記録したコンピュータ読み取り可能な記録媒体。【００３９】
（３０）前記時期予測手段で計算された前記分離膜の薬品洗浄日または交換日までの日数が指定日数以下となった場合に通知アラームを出力する通知手段を有する（２８）または（２９）に記載の造水システムの管理プログラムを記録したコンピュータ読み取り可能な記録媒体。【００４０】
（３１）前記分離膜の薬品洗浄日または交換日が、予め設定した予定日よりも早い場合、警報アラームを出力する警報手段を有する（２８）〜（３０）のいずれかに記載の造水システムの管理プログラムを記録したコンピュータ読み取り可能な記録媒体。【００４１】
（３２）前記分離膜の薬品洗浄日または交換日が、予め設定した予定日よりも早い場合、前記薬品洗浄日または交換日が、前記予定日と一致または前記予定日よりも遅くなるように、ろ過条件および／または洗浄条件を変更する運転条件変更手段を有する（２８）〜（３１）のいずれかに記載の造水システムの管理プログラムを記録したコンピュータ読み取り可能な記録媒体。【００４２】
（３３）前記運転条件変更手段は、運転コスト予測機能と、運転コストが最も低くなるようにろ過条件および／または洗浄条件を決定する機能をさらに有する（３２）に記載の造水システムの管理プログラムを記録したコンピュータ読み取り可能な記録媒体。【００４３】
（３４）前記造水システムが、被処理水に凝集剤、還元剤、殺菌剤、スケールコントロール剤のうち少なくとも１つの薬剤を添加する薬剤添加手段を備えるものであり、前記運転条件変更手段が前記薬剤の添加率を変更する機能をさらに有することを特徴とする（３２）または（３３）に記載の造水システムの管理プログラムを記録したコンピュータ読み取り可能な記録媒体。
【発明の効果】
【００４４】
本発明の造水システムのトラブル判定プログラムによれば、ろ過工程および物理洗浄工程時の運転データを効率的に収集・分析し、効率的に各工程でのトラブルを判定することで、トラブル発生時に早急なトラブル対応を行うことができるため、安定的に造水システムを運転することを提供できる。
【図面の簡単な説明】
【００４５】
【図１】図１は、本発明が適用される造水システムの一例を示す装置概略フロー図である。
【図２】図２は、本発明の実施形態を示す概略図である。
【図３】図３は、本発明の実施形態を示す概略図である。
【発明を実施するための形態】
【００４６】
以下、図面に示す実施態様に基づいて本発明をさらに詳細に説明する。なお、本発明は以下の実施態様に限定されるものではない。
【００４７】
本発明の造水システムとは、例えば、図１に示すように、被処理水を貯留する原水槽１と、被処理液を供給する供給ポンプ２と、被処理水をろ過する分離膜３と、分離膜３を逆洗する場合用いるろ過液の一部を貯留する逆洗槽４と、ろ過液を分離膜３に供給し逆洗する逆洗ポンプ５と、分離膜３を空洗するための空洗ブロア６と、供給ポンプ２より供給される被処理液を分離膜３に供給する原水配管８と、逆洗ポンプ５より供給される逆洗液を分離膜３に供給する逆洗配管９と、空洗ブロア６より供給される空気を分離膜３に供給する空洗配管１０と、逆洗時もしくは分離膜３の一次側に被処理水を供給し過剰となった場合に液が流出する逆洗排水配管１１と、分離膜３の一次側の被処理水または洗浄排水を排水する排水配管１２と、分離膜３からろ過水が流出するろ過水配管１３と、原水配管８に設置され分離膜３への供給圧力を測定する供給圧力計２１と、逆洗配管９に設置され逆洗の流量を測定する逆洗流量計２２と、空洗配管１０に設置され空洗の流量を測定する空洗流量計２３と、ろ過水配管１３に設置されろ過水圧力を測定するろ過圧力計２４と、原水配管８に設置され分離膜３への供給流量を測定する供給流量計２５が設けられている造水システム３０である。
【００４８】
被処理水とは分離膜を用いて処理する溶液のことであり、河川水、地下水、海水、下水処理水、工場廃水、培養液などが例として挙げられる。
【００４９】
なお、「一次側」とは、分離膜で仕切られた空間の内、被処理水が供給される側であり、「二次側」とは、その逆である。
【００５０】
分離膜で使用される分離膜の孔径としては、多孔質であれば特に限定しないが、所望の被処理水の性質や水量によって、ＭＦ膜（精密ろ過膜）を用いたり、ＵＦ膜（限外ろ過膜）を用いたり、あるいは両者を併用したりする。例えば、濁質成分、大腸菌、クリプトスポリジウム等を除去したい場合はＭＦ膜でもＵＦ膜のどちらを用いても構わないが、ウィルスや高分子有機物等も除去したい場合は、ＵＦ膜を用いるのが好ましい。
【００５１】
分離膜の形状としては、中空糸膜、平膜、管状膜、モノリス膜等があるが、いずれでも構わない。また、分離膜の材質としては、ポリエチレン、ポリプロピレン、ポリアクリロニトリル、エチレン−テトラフルオロエチレン共重合体、ポリクロロトリフルオロエチレン、ポリテトラフルオロエチレン、ポリビニルフルオライド、テトラフルオロエチレン−ヘキサフルオロプロピレン共重合体、テトラフルオロエチレン−パーフルオロアルキルビニルエーテル共重合体、およびクロロトリフルオロエチレン−エチレン共重合体、ポリフッ化ビニリデン、ポリスルホン、酢酸セルロース、ポリビニルアルコールおよびポリエーテルスルホンやセラミック等の無機素材からなる群から選ばれる少なくとも１種類を含んでいると好ましく、さらに膜強度や耐薬品性の点からはポリフッ化ビニリデン（ＰＶＤＦ）がより好ましく、親水性が高く耐汚れ性が強いという点からはポリアクリロニトリルがより好ましい。
【００５２】
また膜ろ過方式としては全量ろ過型モジュールでもクロスフローろ過型であっても差し支えないが、エネルギー消費量が少ないという点から全量ろ過型である方が好ましい。さらに加圧型であっても浸漬型であっても差し支えないが、高流束運転が可能であるという点から加圧型である方が好ましい。また、膜の外側から原水を供給し、内側から透過水を得る外圧式であっても、膜の内側から原水を供給し、外側から透過水を得る内圧式であっても差し支えないが、前処理の簡便さの観点から外圧式である方が好ましい。
【００５３】
前記造水システム３０において、ろ過時、被処理水は供給ポンプ２により、分離膜３の一次側に供給され、二次側からろ過水を得るが、ろ過時間経過に従って、分離膜のろ過抵抗、すなわち分離膜３の一次側と二次側の圧力差（以後、差圧）が上昇する。この差圧上昇を押さえるために、定期的には物理洗浄（物理洗浄工程）を行い、ろ過と物理洗浄を繰り返しながら運転するのが一般的である。
【００５４】
物理洗浄はろ過を一次停止し、逆洗工程、空洗工程、排水工程、給水工程の順に実施するのが一般的であるが、逆洗工程と空洗工程を同時に実施する、排水工程後に逆洗工程を実施する、もしくはいずれかの工程を省略あるいは複数回実施しても問題無い。
【００５５】
逆洗工程は、逆洗槽４と貯蓄されたろ過水を、逆洗ポンプ５により、分離膜３の二次側から一次側へと、ろ過とは反対方向に洗浄するものであり、一次側から出てくる逆洗液は逆洗排水配管１１より系外に排出され、所定時間逆洗後、逆洗ポンプ５を停止して逆洗工程は終了となる。
【００５６】
空洗工程は、空洗ブロア６より、空気を分離膜３の下部に加圧空気を供給し、分離膜を揺動するように洗浄する工程のことであり、所定時間空洗後、空洗ブロア６を停止して空洗工程は終了となる。なお空気発生源は、ブロアであってもコンプレッサーであっても構わないが、コンプレッサーの場合は、空気中の油分が分離膜に供給されないようオイルフリータイプであることが好ましい。
【００５７】
排水工程は、逆洗工程および空洗工程にて分離膜３より取り除かれた濁質成分を系外に排出するものであり、分離膜３の下部に接続される排水配管１２より系外に排出され、所定排水時間後、排水工程は終了となる。
【００５８】
給水工程は、排水工程後に、分離膜３の一次側に被処理水を供給する工程であり、供給ポンプ２により、分離膜３の一次側へと被処理水が供給され、一次側が満水状態となると過剰分は逆洗排水配管１１よりオーバーフローされ、所定給水時間後、給水工程は終了となる。
【００５９】
なお前記物理洗浄の各工程については、通常ＰＬＣなどの制御装置により、図示はしないが、空気作動弁もしくは電動弁などの自動弁により工程を切り替えて、自動で実施されるのが一般的である。
【００６０】
この様なろ過と物理洗浄とを繰り返す造水システム３０において、様々な要因により急激な差圧上昇に代表されるトラブルが発生した場合、物理洗浄の各工程時間・頻度などを変更して対応するが、物理洗浄自体が正常に実施されなければ、差圧上昇を抑制できない。
【００６１】
そこで本発明では、ろ過と物理洗浄を繰り返し運転する造水システムのトラブルを判定するトラブル判定プログラム、当該プログラムを記録したコンピュータ読み取り可能な記録媒体、管理装置、トラブル判定装置に関するものである。図２に示す通り、トラブル判定プログラム３２は、下記の手段を有するコンピュータ３１を機能させるものである。トラブル判定プログラム３２は、コンピュータ３１のメモリ、ハードディスクなどの記録装置や、後述するＰＬＣやＤＣＳなどの制御管理システム等に記録可能であり、記録の形態は特に限定されないが、本図では説明の便宜上、コンピュータ３１の内部に収納された状態で示されている。
【００６２】
造水システム３０からの運転データを得るコンピュータ３１は、造水システム３０の運転データのうちろ過や物理洗浄に関わるデータを工程別に抜き出し入力する運転データ入力手段４１を有し、運転データ入力手段４１で得られる各工程での各測定値は運転データ記録手段４２に記録される。運転データ記録手段４２に記録されたデータは、どの工程のトラブル判定を行うかの工程選択手段４３により工程毎に分割され、分割されたデータは、トラブル判定のため加工するための加工ルールを記憶しておく加工ルール記憶手段４４に記憶された加工ルールに沿って、加工データを得る手段４５で加工される。
【００６３】
その後、トラブル判定する場合に判定値となる前記加工データに関する設定値が記録しておく設定値記録手段４６に記憶された設定値と比較して、前記加工データが前記設定値を逸脱した場合にトラブル判定手段４７でトラブル判定が行われる。これにより、ろ過工程が正常か、物理洗浄各工程において洗浄が正常に行われているかを判定し、逸脱する場合は判定結果を出力するトラブル判定出力手段４８からトラブル判定が出力される。これにより、工程別に自動でトラブルの有無を確認し、トラブル発生時には、どの工程においてどの様なトラブルが発生しているかを瞬時に確認できる。
【００６４】
なお前記加工ルールは、工程毎に関連する運転データを積算値、最大値、平均値、最小値、初期値または規定値に対しての変化量などに加工するルールであり、また加工しないルールも含まれていても問題ない。また前記運転データ入力手段はろ過や物理洗浄とは関係ない水質などの運転データを入力としても問題ない。
【００６５】
トラブルが発生した場合、トラブルの原因と対策が分かると、トラブル対応を早急にできるため、停機時間も短くできさらに好ましい。そこで、本発明では、トラブルの原因と対策の少なくとも一つを表示させることを特徴としている。これにより、トラブル発生時に早急な対応が可能となり、トラブル時に造水システムの停機時間を最小限にすることが可能となる。
【００６６】
また、ろ過時間に対して通常短い時間で実施される洗浄工程のデータを解析し、トラブルの診断を行うためには、データの収集（サンプリング、取得あるいは記録とも言う）周期を短い時間に設定する必要があるが、運転データの保存（記録）量が増大することで、サーバー容量が圧迫されることから、データの記録周期を短く設定できないという問題もあった。そこで、ろ過工程と洗浄工程それぞれの運転データを区別して異なる記録周期に設定するため、記録周期設定手段５５をさらに設けることも好ましい態様である。前記記録周期設定手段５５は、前記運転データ入力手段４１の上流側に設けることが好ましい。
【００６７】
前記記録周期設定手段５５の記録周期としては、ろ過工程であれば数十秒〜数時間単位で任意に設定してよいが、サーバー容量の圧迫を防ぐため、１分以上となるよう設定するのが好ましい。ただし、洗浄工程においてはろ過工程と比べて洗浄時間自体が短く、ろ過工程と同じ記録周期ではデータを取得することができないため、数秒〜数十秒単位に設定することが好ましく、トラブル診断のためのデータ解析には５秒以下に設定することがより好ましい。このように各工程のトラブル判定可能な必要最小限の運転データを取得するようにすることでサーバー容量の増大を防ぐことができ、インターネットを経由して運転データを取得する形態の場合は、通信費も削減可能となる。
【００６８】
更に、本発明では、物理洗浄の逆洗工程において、前記加工ルールが逆洗の設定時間内に使用される逆洗水のトータル水量である逆洗水量または逆洗の瞬時値である逆洗流量のデータを用いることを特徴としている。逆洗工程にとっては、逆洗流量が規定値以上となっていることは勿論のこと、逆洗水のトータル量も規定値通りであるかが重要であり、これらが規定値以下となると逆洗効果が減少し、分離膜３の差圧上昇の原因となる。例えば逆洗水量は以下の計算式により表される。
【００６９】
逆洗水量（ｍ３）=逆洗流量（ｍ３／ｈ）／３６００ｓｅｃ×逆洗時間（ｓｅｃ）
【００７０】
なお、逆洗水量は上記式により算出しても良いし、逆洗流量を逆洗時間分積算して算出しても良い。また前記逆洗流量は逆洗流量計２２の瞬時値が用いられるのが一般的である。また逆洗流量は、逆洗の効果を向上させるため、通常のろ過流量よりも多い流量とすることが一般的である。これらを分析することで逆洗工程におけるトラブル判定が可能となる。
【００７１】
また、物理洗浄の空洗工程において、造水システムによっては図１に示す空洗配管１０に設置され空洗の流量を測定する空洗流量計２３が設置されていない場合がある。更に造水システム３０には分離膜の液位を確認するための液面計は設置されていないことが一般的である。そこで、本発明では、一般的に造水システム３０には設置されている原水配管８に設置され分離膜３への供給圧力を測定する供給圧力計２１の圧力データによりトラブル判定することを特徴としている。これにより、空洗流量計および分離膜３液面計が無い場合でも空洗工程時に空洗が定格流量どおり空気流量が流入していなければ、供給圧力計２１の圧力データは正常時よりも低い値となり、逆に分離膜内または逆洗排水配管側で被処理水に含まれる汚濁物質で閉塞すると正常時よりも高い値となり、排水工程時に分離膜３の一次側の洗浄排水が完全に抜けきらない場合は正常時よりも高い値となり、給水工程時に、分離膜３の一次側が被処理液で満水にならない場合は正常時よりも低い値となることから、トラブル判定が可能となる。
【００７２】
なお、原水配管８に設置され分離膜３への供給流量を測定する供給流量計２５と、空洗配管１０に設置され空洗の流量を測定する空洗流量計２３が設置されている場合は、これらの流量データを用いてトラブル判定を行っても構わない。なお、判定基準は各々の流量計の瞬時値にて正常値の範囲内であるかを検知しても良いし、給水時工程に供給流量計２５の流量を用いる場合は、給水流量の積算値を判定基準値としても構わない。
【００７３】
逆洗工程においては、図１に図示はしないが、逆洗配管９に次亜塩素酸ナトリウム、塩酸などの薬液を注入し、逆洗効果を向上させることがあるが、この場合、薬液の注入量を規定値通り一定に保つことが好ましい。そこで、これも図１には図示しないが、逆洗配管９に設置されるｐＨ計、残留塩素計、ＯＲＰ計が設置されている場合は、いずれかの測定値が薬液により変化するので、何れかデータ用いて、正常時との比較することによりトラブル判定をすることが可能となる。
【００７４】
また本発明では、加工ルールが１サイクルのろ過抵抗上昇度と、前記物理洗浄後の物理洗浄不可逆ろ過抵抗上昇度であることを特徴としている。ここで１サイクルのろ過抵抗上昇度とは、ろ過工程１サイクルで上昇するろ過抵抗（あるいはろ過差圧）のことであり、ろ過抵抗は以下の計算式で計算され、膜ファウリングの程度を示す指標である。なお、ろ過差圧は分離膜モジュールの１次側圧力から２次側圧力を差し引いた値である。
【００７５】
ろ過抵抗（１／ｍ）＝ろ過差圧（Ｐａ）／（ろ過水粘度（Ｐａ・ｓ）×ろ過流束（ｍ／ｓ））
【００７６】
一方、物理洗浄後の物理洗浄不可逆ろ過抵抗上昇度も膜ファウリングの程度を示す指標であるが、こちらは物理洗浄を実施しても除去されない成分を表すものであり、総ろ過水量（ｍ３/ｍ２）を横軸とし、ろ過抵抗（１／ｍ）を縦軸にプロットした場合に、各ろ過工程開始時のろ過抵抗を結んだ直線の傾きを指すものである。あるいは、ろ過時間を横軸とし、ろ過差圧を縦軸にプロットした場合の各ろ過工程開始時のろ過差圧を結んだ直線の傾きを指すものである。化学薬品洗浄を併用した物理洗浄も含んで構わない。これらのファウリング指標を加工ルールにより算出し、正常時を逸脱した場合にろ過工程のトラブルと判定することが可能となる。
【００７７】
なお上記のトラブル判定に関しては、正常時に対して加工ルールで加工されたデータが瞬間的に逸脱した場合をトラブルとして判定しても良いし、各工程時間内において、設定した時間内継続して逸脱した場合をトラブルとして判定しても良いし、各工程時間の最終段階において逸脱した場合をトラブルと判定しても良い。さらに１つの運転データまたは加工データに対して危険度別に複数設定した設定値と比較すること好ましい態様である。危険度を分けることで対策を講じる優先度を管理者が把握することができる。
【００７８】
また、トラブル判定は、各センサの値により判定するものであるが、各センサの精度、もしくはサンプリング周期のタイミングによっては、その測定時自体が真値でない場合がある。この場合、トラブル判定手段４７にて、その測定値を用いて加工したデータと設定値を比較し、設定値を逸脱してしまうとトラブルと判定してしまい外乱となるが、このような外乱であってもトラブルと判定しないことが好ましい。そこで本発明では、前記の様な外乱要因を取り除くため、前記加工データが前記設定値を複数回連続して逸脱した場合に、トラブルと判定することを特徴としている。これにより、前記外乱を排除でき正確なトラブル判定が可能となる。また、前記回数の指定はしないが、回数が多すぎるとトラブル判定に時間を要し、回数が少なすぎると外乱を取り除けないので３〜５回程度が好ましい。
【００７９】
上述した造水システムのトラブル判定の形態は、トラブル判定プログラムであるが、コンピュータが読み取り可能な記録媒体であっても、管理装置、管理方法、トラブル判定装置であっても差し支えない。またこれらの形態は、造水システムに通常設置されているＰＬＣやＤＣＳなどの制御管理システムと一緒に設置されるか、制御管理システムから遠方監視装置を用いて、運転データをインターネット経由で取り出し、任意の場所に設置されるオンプレミスサーバーもしくは、クラウドサーバーに設置されるのが一般的である。トラブル判定装置は、図２、図３に示す各手段を有するハードウェア装置と把握することができ、コンピュータ３１と同等の構成を有し得る。
【００８０】
また、本特許は図３に示すようにトラブル判定に加えて、造水システム３０での運転状況が運転データ記録手段４２から薬品洗浄または分離膜３を交換する時期を予測する時期予測手段５１を持つこと特徴とする。具体的には運転データ記録手段４２がろ過圧力、差圧、ろ過速度のうち少なくとも１つの運転データを記録するものであり、時期予測手段５１において運転データ記録手段４２で記録したデータから、解析手段５２により過去のデータを解析する機能を有し、解析手段５２で得られるろ過指標から、各データの過去変化分を計算し、ろ過特性の変化する割合を予測するろ過特性変化予測手段５３を有したものである。これにより分離膜が薬品洗浄に達するまでの時期または交換までの時期を予測することが可能となる。
【００８１】
更に、正常時に時期予測手段５１により出力される予測曲線をグラフ表示し、周期的あるいは前記トラブル分析手段にてトラブルと判定された際に同様の手段にて予測し予測される結果を前記予測曲線グラフと共に表示することで、分離膜３の運転状況を簡易に判断することが可能となる。
【００８２】
また、前記グラフ表示から、薬品洗浄日または交換日が、予め設定した指定日よりも日数か短くなった場合に通知アラームを出力またはメールなどで管理者に通知することで、前もって薬液洗浄や交換の準備をすることができ、停機時間を最小限にすることが可能となる。もしくは薬品洗浄日または交換日が予定日より早い場合に警報アラームを出す機能を有しても良い。
【００８３】
前記警報アラームが発生次第、対応を行い薬液洗浄日または交換日を延期することが運転上好ましい。そこで薬品洗浄日または交換日を予定日と一致するまたは予定日よりも遅延するようろ過時間、ろ過速度などのろ過条件および／または逆洗工程時間などの物理洗浄条件を変更する運転条件変更手段５４を有すると更に効果的である。かつ運転条件変更手段５４は、造水システムの電気消費量、薬品消費量などの運転コストを予測し、最も運転コストが安価となる条件を決定する機能を有すると更に運転者にとっては運転コストを低減でき効率的である。
【００８４】
その中でも、被処理水に添加される凝集剤、還元剤、殺菌剤、スケールコントロール剤などの薬品消費量は、全体の運転コストに与える影響が大きい。そこで運転条件変更手段５４は前記薬剤の添加率を変更すること機能を有すると更に好ましい。また運転条件変更手段５４で変更される薬剤の添加量以外にも、ろ過流量・時間、逆洗流量・時間、空洗流量・時間、排水時間、給水時間、物理洗浄手法などであっても構わない。
【００８５】
本出願は、２０１６年６月２１日出願の日本特許出願、特願２０１６−１２２３３５、２０１６年８月１０日出願の日本特許出願、特願２０１６−１５７２２５に基づくものであり、その内容はここに参照として取り込まれる。
【符号の説明】
【００８６】
１：原水槽
２：供給ポンプ
３：分離膜
４：逆洗槽
５：逆洗ポンプ
６：空洗ブロア
８：原水配管
９：逆洗配管
１０：空洗配管
１１：逆洗排水配管
１２：排水配管
２１：供給圧力計 
２２：逆洗流量計
２３：空洗流量計
２４：ろ過圧力計
２５：供給流量計
３０：造水システム
３１：コンピュータ
３２：トラブル判定プログラム
４１：運転データ入力手段
４２：運転データ記録手段
４３：工程選択手段
４４：加工ルール記憶手段
４５：加工データを得る手段
４６：設定値記録手段
４７：トラブル判定手段
４８：トラブル判定出力手段
５１：時期予測手段
５２：解析手段
５３：ろ過特性変化予測手段
５４：運転条件変更手段
５５：記録周期設定手段
【図１】
2017221984.tif 000003
【図２】
2017221984.tif 000004
【図３】
2017221984.tif 000005
【国際調査報告】
2017221984.tif 000006
2017221984.tif 000007
2017221984.tif 000008
2017221984.tif 000009